(57)【要約】      （修正有）【課題】鋼板反転装置の反転アーム保持装置として、駆動系統のリンク部に短時間で精度良く設置することができる反転アーム保持装置を提供する。【解決手段】鋼板反転装置の反転アームを起立状態で保持するために、反転アームの駆動系統のリンク部の下方に設置される反転アーム保持装置１１であって、待機位置から設置位置まで敷設されたレール１７と、該レール上を車輪によって移動する台車１２と、該台車に搭載されて上下方向に伸縮するジャッキ１３と、該ジャッキの下端に取り付けられた支持部材１９を備えていて、前記ジャッキ１３を下方に伸ばして前記支持部材１９を接地させ、さらに前記ジャッキ１３を下方に伸ばして前記支持部材１９に支持させながら前記台車１２を上方に持ち上げ、前記台車の上端を前記リンク部の下面に押し当てることによって、反転アームを起立状態で保持することを特徴とする、鋼板反転装置の反転アーム保持装置。【選択図】図５
2014168782.tif 000002
【特許請求の範囲】
【請求項１】
鋼板反転装置の反転アームを起立状態で保持するために、反転アームの駆動系統のリンク部の下方に設置される反転アーム保持装置であって、待機位置から設置位置まで敷設されたレールと、該レール上を車輪によって移動する台車と、該台車に搭載されて上下方向に伸縮するジャッキと、該ジャッキの下端に取り付けられた支持部材を備えていて、前記ジャッキを下方に伸ばして前記支持部材を接地させ、さらに前記ジャッキを下方に伸ばして前記支持部材に支持させながら前記台車を上方に持ち上げ、前記台車の上端を前記リンク部の下面に押し当てることによって、反転アームを起立状態で保持することを特徴とする、鋼板反転装置の反転アーム保持装置。
【発明の詳細な説明】
【技術分野】
【０００１】
本発明は、鋼板反転装置の反転アームを起立状態で保持するための反転アーム保持装置に関するものである。
【背景技術】
【０００２】
鋼板反転装置は、鋼板を反転させて上面と下面を逆にする際に用いられる（例えば、特許文献１、２参照）。
【０００３】
図１は、代表的な鋼板反転装置を模式的に示す図である。図１に示すように、鋼板反転装置は、入側の反転アーム２と、反転アーム２が取り付けられている転回軸３と、リンク機構（図示せず）を介して転回軸３を転回させる駆動装置（油圧シリンダ等）４と、出側の反転アーム６と、反転アーム６が取り付けられている転回軸７と、転回軸７を転回させる駆動装置（油圧シリンダ等）８とを備えている。そして、駆動装置４の駆動で転回軸３が所定の角度範囲で転回し、それによって反転アーム２が水平になった状態（水平状態）と起立した状態（起立状態）の間で変化するようになっている。同様に、駆動装置８の駆動で転回軸７が所定の角度範囲で転回し、それによって反転アーム６が水平になった状態（水平状態）と起立した状態（起立状態）の間で変化するようになっている。
【０００４】
図２は、その鋼板反転装置の動作を模式的に示した図である。図２（ａ）〜（ｇ）に示す手順によって、搬送ライン１０上の鋼板１が反転アーム２と反転アーム６の動き（水平状態、起立状態）により反転されることを示している。
【先行技術文献】
【特許文献】
【０００５】
【特許文献１】特公昭４９−０１４５７６号公報
【特許文献２】特開昭６０−２１３３０７号公報
【発明の概要】
【発明が解決しようとする課題】
【０００６】
上記のような鋼板反転装置を点検したり修理したりする場合には、反転アームを起立状態にすることが求められる。その際に、反転アームが自重で転倒するのを防止して起立状態を確実に保持するために、反転アームの駆動系統（駆動装置、リンク機構、転回軸）のどこかに反転アーム保持装置を設置する必要がある。
【０００７】
従来、反転アーム保持装置として、反転アームの自重に耐えられる鋼鉄製のメカニカルストッパーをリンク機構（リンク部）に設置している。
【０００８】
しかしながら、一般的にリンク部近傍はスペースが狭く、ハンドリング動作が制限されるため、従来のメカニカルストッパーの場合は、リンク部に対する位置決めに手間が掛かり、設置に時間が掛かるという問題があった。
【０００９】
本発明は、上記のような事情に鑑みてなされたものであり、鋼板反転装置の反転アーム保持装置として、駆動系統のリンク部に短時間で精度良く設置することができる反転アーム保持装置を提供することを目的とするものである。
【課題を解決するための手段】
【００１０】
上記課題を解決するために、本発明は以下の特徴を有する。
【００１１】
［１］鋼板反転装置の反転アームを起立状態で保持するために、反転アームの駆動系統のリンク部の下方に設置される反転アーム保持装置であって、待機位置から設置位置まで敷設されたレールと、該レール上を車輪によって移動する台車と、該台車に搭載されて上下方向に伸縮するジャッキと、該ジャッキの下端に取り付けられた支持部材を備えていて、前記ジャッキを下方に伸ばして前記支持部材を接地させ、さらに前記ジャッキを下方に伸ばして前記支持部材に支持させながら前記台車を上方に持ち上げ、前記台車の上端を前記リンク部の下面に押し当てることによって、反転アームを起立状態で保持することを特徴とする、鋼板反転装置の反転アーム保持装置。
【発明の効果】
【００１２】
本発明における鋼板反転装置の反転アーム保持装置は、駆動系統のリンク部に短時間で精度良く設置することができる。
【図面の簡単な説明】
【００１３】
【図１】鋼板反転装置を示す模式図である。
【図２】鋼板反転装置の動作を示す模式図である。
【図３】反転アームが水平状態になった際のリンク部を示す図である。
【図４】反転アームが起立状態になった際のリンク部を示す図である。
【図５】本発明の一実施形態における反転アーム保持装置を示す図である。
【図６】本発明の一実施形態における反転アーム保持装置を示す図である。
【図７】本発明の一実施形態において、反転アーム保持装置を駆動系統のリンク部に設置している様子を示す図である。
【図８】本発明の一実施形態において、反転アーム保持装置が駆動系統のリンク部に設置された状態を示す図である。
【発明を実施するための形態】
【００１４】
本発明の一実施形態を図面に基づいて説明する。なお、本発明の一実施形態において対象とする鋼板反転装置の基本的な構造は、図１に示したものと同様である。そして、ここでは、入側の反転アーム２を代表にして述べるが、出側の反転アーム２についても同様である。
【００１５】
まず、この実施形態で対象とする鋼板反転装置において、反転アーム２が水平状態になった際のリンク部５の状況を図３に示す。次に、駆動装置４の駆動によりリンク部５を介して転回軸３が所定の角度で転回し、それによって反転アーム２が起立状態なった際のリンク部５の状況を図４に示す。そして、図４のように、反転アーム２が起立状態となったところで、リンク部５の下方に反転アーム保持装置を設置する。
【００１６】
図５、図６は、その際に設置する、この実施形態に係る反転アーム保持装置を示すものである。
【００１７】
この実施形態に係る反転アーム保持装置１１は作業者が手動で操作するものであり、図５に示すように、待機位置から設置位置まで床面上に敷設されたレール１７と、レール１７上を車輪１６によって移動する台車１２と、台車１２に搭載されてハンドル１４で上下方向に伸縮する手動ジャッキ１３と、手動ジャッキ１３の下端に取り付けられた支持盤１９と、作業者が台車１２を移動させる際に使用するハンドル１５と、台車１２に取り付けられたストッパーピン１８を備えている。
【００１８】
そして、設置位置において、図６に示すように、手動ジャッキ１３を下方に伸ばして支持盤１９を接地させ、さらに手動ジャッキ１３を下方に伸ばして支持盤１９に支持させながら台車１２を上方に持ち上げる。これによって、台車１２の上端をリンク部５の下面に押し当てて、反転アーム２を起立状態で保持する。
【００１９】
図７は、反転アーム２が起立状態になったところで、作業者がレール１７上を押しながら反転アーム保持装置１１をリンク部５の下方に設置している様子を示している。そして、図８は、反転アーム保持装置１１をリンク部５の下方に設置された状態を示している。
【００２０】
ここで、レール１７は、反転アーム保持装置１１の設置位置では、リンク部５の重心の下方線上に手動ジャッキ１３の上端の中心が位置するように、反転アーム保持装置１１の待機位置では、台車１２がリンク部５の下方から完全に外れるように、敷設されている。
【００２１】
そして、反転アーム保持装置１１の待機位置では、その位置で固定されるように、レール１７の端部に輪止めとピン穴を設けておき、台車１２に取り付けられているストッパーピン１８をピン穴に差し込むようにする。
【００２２】
このようにして、この実施形態における反転アーム保持装置１１は、待機位置から設置位置まで床面上に敷設されたレール上を車輪１６によって走行する台車１２に手動ジャッキ１３を搭載しているので、リンク部５の下方に短時間で精度良く設置することができる。
【００２３】
なお、この反転アーム保持装置１１は、駆動系統の各リンク部に設置するようにする。
【符号の説明】
【００２４】
１  鋼板
２  反転アーム
３  転回軸
４  駆動装置
５  リンク部（リンク機構）
６  反転アーム
７  転回軸
８  駆動装置
１０  搬送ライン
１１  反転アーム保持装置
１２  台車
１３  手動ジャッキ
１４  ハンドル
１５  ハンドル
１６  車輪
１７  レール
１８  ストッパーピン
１９  支持盤
【図１】
2014168782.tif 000003
【図２】
2014168782.tif 000004
【図３】
2014168782.tif 000005
【図４】
2014168782.tif 000006
【図５】
2014168782.tif 000007
【図６】
2014168782.tif 000008
【図７】
2014168782.tif 000009
【図８】
2014168782.tif 000010